(57)【要約】      （修正有）【課題】施設内に設置された設備機器に関する保全作業の履歴を所望のグループごとにまとめて分かり易く表示する保全履歴情報表示装置を提供する。【解決手段】保全履歴情報表示装置１は、表示部２と、保全履歴情報が記憶された保全履歴情報記憶部３と、表示部２上で保全履歴情報から任意の期間内における複数の階層から何れか１つの階層又は作業内容データから何れか１つの項目を選択する選択入力を受け付ける入力部４と、選択された階層又は作業内容データの項目若しくは時間を横軸とし、選択された階層又は作業内容データの項目の数値を縦軸とするグラフを表示部２に表示させる表示制御部５と、を備えている。【選択図】図１
2017156798.tif 000002
【特許請求の範囲】
【請求項１】
施設に設置された設備機器の保全作業に関する保全履歴情報を表示部に表示する保全履歴情報表示装置において、
前記設備機器を属性に基づいて分類した複数の階層と、前記設備機器の過去の保全作業に関するデータである作業内容データと、を含む保全履歴情報が記憶される保全履歴情報記憶部と、
前記表示部上で前記保全履歴情報から任意の期間内における前記複数の階層から何れか１つの階層又は前記作業内容データから何れか１つの項目を選択する選択入力を受け付ける入力部と、
前記選択された階層又は作業内容データの項目若しくは時間を横軸とし、前記選択された階層又は作業内容データの項目の数値を縦軸とするグラフを前記表示部に表示させる表示制御部と、
を備えていることを特徴とする保全履歴情報表示装置。
【請求項２】
前記階層は、大分類として少なくとも製造する製品に応じて分類される製造設備ごとに分類されていることを特徴とする請求項１記載の保全履歴情報表示装置。
【請求項３】
前記製造設備に関する階層は、中分類として生産ラインごとに分類され、小分類として前記設備機器の機種ごとに分類され、最小分類として各設備機器別に分類されていることを特徴とする請求項２記載の保全履歴情報表示装置。
【請求項４】
前記作業内容データは、前記設備機器の故障原因、前記設備機器の故障個所、前記設備機器が故障する前に予め保全を行った内容、又は前記設備機器について事前保全、事後保全若しくは状態監視保全の何れを行ったかを示す作業区分に関するデータを含むことを特徴とする請求項１、２又は３記載の保全履歴情報表示装置。
【請求項５】
前記作業内容データは、前記選択された作業内容データの項目の件数、前記選択された設備機器を修繕する際に要した修繕費、前記設備機器を修繕する際に要した作業時間、及び前記設備機器が故障した期間である設備停止時間に関するデータを含むことを特徴とする請求項１、２、３又は４記載の保全履歴情報表示装置。
【発明の詳細な説明】
【技術分野】
【０００１】
本発明は、施設に設置された設備機器の保全作業に関する保全履歴情報を表示する保全履歴情報表示装置に関する。
【背景技術】
【０００２】
製品を製造する製造ライン等は多数の設備機器で構成されており、設備機器が故障すると、製造ラインを停止した後に、作業員が故障した設備機器を修繕して製造ラインを復旧させる。設備機器の修繕に要する費用や製造ラインの停止期間は、設備機器の故障箇所や故障の程度により増減する。
【０００３】
特許文献１には、設備機器の点検データを時系列に基づいて可視化する装置が開示されている。この装置では、設備機器を点検した際に取得する点検データに基づき、その後の変化を予測し、点検データ、点検データ履歴及び予測データを表示する。
【先行技術文献】
【特許文献】
【０００４】
【特許文献１】特開２０１４−４９０１０号公報
【発明の概要】
【発明が解決しようとする課題】
【０００５】
しかしながら、上述したような装置では、生産ライン等を構成する複数の設備機器について各設備機器の点検履歴を個別に可視化するものであり、協働する複数の設備機器が構成するグループ（例えば、生産ライン）全体の点検履歴が把握し難いという問題があった。
【０００６】
そこで、施設内に設置された設備機器に関する保全作業の履歴を任意のグループごとにまとめて分かり易く表示するために解決すべき技術的課題が生じてくるのであり、本発明は、この課題を解決することを目的とする。
【課題を解決するための手段】
【０００７】
本発明は上記目的を達成するために提案されたものであり、請求項１記載の発明は、施設に設置された設備機器の保全作業に関する保全履歴情報を表示部に表示する保全履歴情報表示装置において、前記設備機器を属性に基づいて分類した複数の階層と、前記設備機器の過去の保全作業に関するデータである作業内容データと、を含む保全履歴情報が記憶される保全履歴情報記憶部と、前記表示部上で前記保全履歴情報から任意の期間内における前記複数の階層から何れか１つの階層又は前記作業内容データから何れか１つの項目を選択する選択入力を受け付ける入力部と、前記選択された階層又は作業内容データの項目若しくは時間を横軸とし、前記選択された階層又は作業内容データの項目の数値を縦軸とするグラフを前記表示部に表示させる表示制御部と、を備えている保全履歴情報表示装置を提供する。
【０００８】
この構成によれば、任意の階層に含まれる設備機器の保全履歴情報をまとめて表示する、又は任意の作業内容データの項目に合致するものを階層にかかわらず横断的に表示することにより、設備機器の保全履歴情報を分かり易くグラフ表示することができる。
【０００９】
請求項２記載の発明は、請求項１記載の保全履歴情報表示装置の構成に加えて、前記階層は、大分類として少なくとも製造する製品に応じて分類される製造設備ごとに分類されている保全履歴情報表示装置を提供する。
【００１０】
この構成によれば、保全履歴情報が製造設備ごとに分類された階層を含むことにより、製造設備に含まれる全ての設備機器に関する保全履歴情報をまとめてグラフ表示することができる。
【００１１】
請求項３記載の発明は、請求項２記載の保全履歴情報表示装置の構成に加えて、前記製造設備に関する階層は、中分類として生産ラインごとに分類され、小分類として前記設備機器の機種ごとに分類され、最小分類として各設備機器別に分類されている保全履歴情報表示装置を提供する。
【００１２】
この構成によれば、任意の製造設備を構成する設備機器の保全履歴情報を、生産ラインごと、機種ごと又は個別にグラフ表示することができる。
【００１３】
請求項４記載の発明は、請求項１、２又は３記載の保全履歴情報表示装置の構成に加えて、前記作業内容データは、前記設備機器の故障原因、前記設備機器の故障個所、前記設備機器が故障する前に予め保全を行った内容、又は前記設備機器について事前保全、事後保全若しくは状態監視保全の何れを行ったかを示す作業区分に関するデータを含む保全履歴情報表示装置を提供する。
【００１４】
この構成によれば、設備機器の保全作業の内容に応じて、保全履歴情報をグラフ表示することができる。
【００１５】
請求項５記載の発明は、請求項１、２、３又は４記載の保全履歴情報表示装置の構成に加えて、前記作業内容データは、前記選択された作業内容データの項目の件数、前記選択された設備機器を修繕する際に要した修繕費、前記設備機器を修繕する際に要した作業時間、及び前記設備機器が故障した期間である設備停止時間に関するデータを含む保全履歴情報表示装置を提供する。
【００１６】
この構成によれば、設備機器の保全作業の内容に応じて、保全履歴情報をグラフ表示することができる。
【発明の効果】
【００１７】
本発明は、任意の階層に含まれる設備機器の保全履歴情報をまとめて表示するか、任意の作業内容データの項目に合致するものを階層にかかわらず横断的に表示することにより、設備機器の保全履歴情報を分かり易くグラフ表示することができる。
【図面の簡単な説明】
【００１８】
【図１】本発明の一実施例に係る保全履歴情報表示装置の構成を示すブロック図。
【図２】保全履歴情報の内容を示す模式図。
【図３】表示部に表示された操作画面を示す図。
【図４】保全作業の作業内容ごとに月々の件数の推移を示すグラフ。
【図５】保全作業の作業内容ごとに月々の作業時間の推移を示すグラフ。
【図６】保全作業の作業内容ごとに月々の修繕費の推移を示すグラフ。
【図７】保全作業の作業内容ごとに月々の設備停止時間の推移を示すグラフ。
【発明を実施するための形態】
【００１９】
本発明は、施設内に設置された設備機器に関する保全作業の履歴を所望のグループごとにまとめて分かり易く表示するという目的を達成するために、施設に設置された設備機器の保全作業に関する保全履歴情報を表示部に表示する保全履歴情報表示装置において、設備機器を属性に基づいて分類した複数の階層と、設備機器の過去の保全作業に関するデータである作業内容データと、を含む保全履歴情報が記憶される保全履歴情報記憶部と、表示部上で保全履歴情報から任意の期間内における複数の階層から何れか１つの階層又は作業内容データから何れか１つの項目を選択する選択入力を受け付ける入力部と、選択された階層又は作業内容データの項目若しくは時間を横軸とし、選択された階層又は作業内容データの項目の数値を縦軸とするグラフを表示部に表示させる表示制御部と、を備えていることにより実現する。
【実施例】
【００２０】
以下、本発明の一実施例に係る保全履歴情報表示装置１について説明する。なお、以下の実施例において、構成要素の数、数値、量、範囲等に言及する場合、特に明示した場合及び原理的に明らかに特定の数に限定される場合を除き、その特定の数に限定されるものではなく、特定の数以上でも以下でも構わない。
【００２１】
また、構成要素等の形状、位置関係に言及するときは、特に明示した場合及び原理的に明らかにそうでないと考えられる場合等を除き、実質的にその形状等に近似又は類似するもの等を含む。
【００２２】
また、図面は、特徴を分かり易くするために特徴的な部分を拡大する等して誇張する場合があり、構成要素の寸法比率等が実際と同じであるとは限らない。また、断面図では、構成要素の断面構造を分かり易くするために、一部の構成要素のハッチングを省略することがある。
【００２３】
図１は、保全履歴情報表示装置１の構成を示すブロック図である。保全履歴情報表示装置１は、パーソナルコンピュータ等で構成されている。保全履歴情報表示装置１は、表示部２と、保全履歴情報記憶部３と、入力部４と、表示制御部５と、を備えている。
【００２４】
表示部２は、例えば液晶ディスプレイ等である。表示部２には、後述する選択画面等が表示される。表示部２に表示される画面は、表示制御部５によって制御されている。
【００２５】
保全履歴情報記憶部３には、設備機器の過去の保全作業に関する保全履歴情報が記憶されている。保全履歴情報は、設備機器の保全作業を行う度にその作業内容が保全履歴情報記憶部３に入力される。
【００２６】
保全履歴情報には、図２に示すように、施設内に配置された多数の設備機器を属性に基づいて分類した４つの階層が含まれる。なお、階層の数は４つに限定されるものではなく、３つ以下であっても、５つ以上であっても構わない。
【００２７】
設備機器の階層は、大分類として製造設備Ａ、製造設備Ｂ及び共通設備に分類されている。製造設備Ａ、製造設備Ｂは、製造する製品の種類に応じて区別されている。共通設備は、製造設備Ａ及び製造設備Ｂの運転に必要な電気や空気等を製造設備Ａ及び製造設備Ｂに供給する設備である。
【００２８】
製造設備Ａの階層は、中分類として生産ラインごとに分類されている。生産ラインは、具体的には、第１ラインと第２ラインとで構成されている。第１ライン及び第２ラインは、製品を生産する複数の工程のうちの少なくとも１つの工程を実現するために協働する複数の設備機器で構成されているものである。第１ラインは、例えば、薄いフィルムシートを縦方向に延伸する縦方向延伸ライン等である。第２ラインは、例えば、薄いフィルムシートを横方向に延伸する横方向延伸ラインである。なお、第１ラインと第２ラインとは、異なる工程を実行するものであっても良く、同じ工程をそれぞれ実行するものであっても構わない。
【００２９】
製造設備Ａの階層は、小分類として設備機器の機種ごとに分類され、最小分類として個別の設備機器を示す機器番号に分類されている。設備機器の機種とは、同一の生産ラインに含まれる同種の設備機器を総称するものであり、例えば、送風機、圧縮機及びポンプ等である。機器番号とは、各設備機器を特定するものであり、その形式は如何なるものであっても構わない。
【００３０】
製造設備Ｂの階層は、製造設備Ａと同様に分類されており、生産ラインごとの中分類、設備機器の機種ごとの小分類、機器番号の最小分類に分類されている。なお、製造設備Ｂは、製造設備Ａと同様の構成であっても良く、異なる構成であっても構わない。
【００３１】
共通設備は、中分類としてＵＴＴ（Ｕｔｉｌｉｔｙ）設備及び受配電設備に分類され、小設備としてＵＴＴ設備又は受配電設備内にそれぞれ配置された同種の設備機器を総称した機種ごとに分類され、最小分類として設備機器を特定するための機器番号に分類されている。
【００３２】
また、保全履歴情報には、設備機器の過去の保全作業に関するデータである作業内容データが含まれる。作業内容データは、各設備機器の保全作業の履歴であり、設備機器の機器番号に関連付けられて記憶されている。
【００３３】
作業内容データには、故障原因、故障個所、事前保全の内容及び作業区分に関するデータが含まれる。ここで、「故障原因」とは、設備機器がどのような原因で過去に故障したかを示し、例えば、潤滑不良、摩耗、亀裂、経年劣化、異物かみこみ、溶接外れ又は破損等である。「故障個所」とは、設備機器の何れの部位（例えば、機器入口、回転部等）が過去に故障したかを示す。「事前保全の内容」とは、設備機器が故障する前に行った事前保全作業の作業内容（保全を行った部位、保全の内容等）を示す。「作業区分」とは、設備機器の保全作業を保障前に行う事前保全、故障後に行う事後保全又は所定の運転時間経過後に保全作業を行う状態監視保全の何れを行ったかを示す。
【００３４】
保全履歴情報には、上記以外にも、設備機器の保全作業を行った日時、保全作業に要した時間（作業時間）や費用（修繕費）、及び設備機器の復旧に要した時間（設備停止時間）等が含まれる。
【００３５】
入力部４は、オペレータの入力操作を受け付ける入力装置であり、キーボード等の文字情報入力デバイスや、マウスやタッチパネル等のポインティングデバイスを有する。
【００３６】
表示制御部５は、表示部２に表示された画面を介して入力されるオペレータの入力操作を受けて、保全履歴情報の任意の項目をグラフ表示する。表示制御部５が表示するグラフについては後述する。
【００３７】
また、保全履歴情報表示装置１は、演算部６を備えている。演算部６は、保全履歴情報記憶部３に記憶された設備機器の過去の故障履歴に基づいて、事前保全を行う時期を算出する。具体的には、演算部６は、設備機器に対して行った複数回の保全作業の日時等から保全作業を行う周期、すなわち、設備機器が稼動可能な期間を予測し、この予測された稼働期間に基づいて事前保全を行う時期を演算する。演算部６は、演算結果を表示部２に表示することにより、事前保全を行う時期をオペレータに通知することができる。
【００３８】
次に、保全履歴情報表示装置１の動作について図面に基づいて説明する。図３は、表示部２に表示された操作画面を示す図である。表示部２に表示された図３の操作画面において、オペレータがグラフ表示させたい任意の項目を選択すると、この選択入力を受けて、表示制御部５は、オペレータの選択入力に対応する項目を縦軸及び横軸にしたグラフを表示部２に表示する。
【００３９】
具体的には、まず、条件選択の欄Ａからグラフ表示する期間を選択する。期間の選択は、年単位、月単位の何れであっても構わない。
【００４０】
次に、条件選択の欄Ｂから、グラフに表示させる設備機器を４つの階層から選択する。欄Ｂにおける「製造部」、「装置／ライン名」、「機種」及び「機器番号」とは、上述した大分類、中分類、小分類及び最小分類にそれぞれ対応する。各階層は、プルダウンメニューから任意の項目を選択可能であり、その階層に特に選択条件を付さない場合、即ち、その階層に含まれるもの全てを選択する場合には、プルダウンメニューから「ＡＬＬ」を選択する。例えば、図２中の製造設備Ａの第１ラインを構成する設備機器全体を選択する場合には、欄Ｂには、「製造部」に「製造設備Ａ」と入力し、「装置／ライン名」に「第１ライン」と入力し、「機種」及び「機器番号」に「ＡＬＬ」と入力する。
【００４１】
また、欄Ｂの「作業区分」は、上述した「作業内容データ」に対応する。例えば、大分類、中分類、小分類及び最小分類に係らず、設備機器の「故障個所」を選択する場合には、欄Ｂの「製造部」、「装置／ライン名」、「機種」及び「機器番号」は、全て「ＡＬＬ」を入力し、「作業内容データ」に「故障個所」を入力する。なお、図３の操作画面には、作業区分として予防保全又は事後保全の２項目が列挙されているが、作業内容データはこれらに限定されるものではない。
【００４２】
次に、欄Ｃのプルダウンメニューからグラフの縦軸に表示する項目を選択する。グラフの縦軸の項目は、「件数」、「修繕費」、「作業時間」及び「設備停止時間」から選択される。
【００４３】
次に、欄Ｄにおいて、グラフの横軸に欄Ａで選択した期間又は欄Ｂで選択した作業区分の何れを表示させるかを選択する。欄Ｄで期間を選択した場合には、グラフは、年又は月ごとの作業区分の件数等の推移を示すものである。例えば、欄Ａで２０１１年〜２０１５年を選択し、欄Ｂの「作業区分」で「原因」を選択し、欄Ｄで期間をＸ軸に表示させることを選択した場合には、Ｘ軸には、２０１１年〜２０１５年が並び、各年で各設備機器が故障した原因（潤滑不良、摩耗、亀裂、経年劣化、異物かみこみ、溶接外れ又は破損等）が積み上げられる等して表示する。また、欄Ｄで作業区分を選択した場合には、グラフは、作業区分ごとに年又は月ごとの件数を比較するものである。例えば、欄Ａで２０１１年〜２０１５年を選択し、欄Ｂの「作業区分」で「原因」を選択し、欄Ｄで作業区分をＸ軸に表示させることを選択した場合には、Ｘ軸には、設備機器が故障した原因が並び、各故障原因の件数等が年ごとに積み上げる等して表示される。
【００４４】
表示性制御部５は、欄Ａ乃至Ｄで入力された内容に基づくグラフを表示部２に表示する。具体的なグラフを図４乃至７に示す。
【００４５】
図４のグラフは、欄Ａの表示期間を２０１４年４月から２０１５年３月とし、欄Ｂの「製造部」、「装置／ライン名」、「機種」及び「機器番号」を「ＡＬＬ」とし、欄Ｂの「作業区分」を「作業内容」とし、欄Ｃで「件数」を選択し、欄Ｄでグラフの横軸を「期間」としたものである。図４のグラフによれば、月ごとの作業内容（事後保全又は予防保全）の件数を比較することができる。
【００４６】
図５のグラフでは、欄Ａの表示期間を２０１４年４月から２０１５年３月とし、欄Ｂの「製造部」、「装置／ライン名」、「機種」及び「機器番号」を「ＡＬＬ」とし、欄Ｂの「作業区分」を「作業内容」とし、欄Ｃで「作業時間」を選択し、欄Ｄでグラフの横軸を「期間」としたものである。図５のグラフによれば、月ごとの作業内容（事後保全又は予防保全）の作業時間を比較することができる。
【００４７】
図６のグラフでは、欄Ａの表示期間を２０１４年４月から２０１５年３月とし、欄Ｂの「製造部」、「装置／ライン名」、「機種」及び「機器番号」を「ＡＬＬ」とし、欄Ｂの「作業区分」を「作業内容」とし、欄Ｃで「修繕費」を選択し、欄Ｄでグラフの横軸を「期間」としたものである。図６のグラフによれば、月ごとの作業内容（事後保全又は予防保全）の費用を比較することができる。
【００４８】
図７のグラフでは、欄Ａの表示期間を２０１４年４月から２０１５年３月とし、欄Ｂの「製造部」、「装置／ライン名」、「機種」及び「機器番号」を「ＡＬＬ」とし、欄Ｂの「作業区分」を「作業内容」とし、欄Ｃで「設備停止時間」を選択し、欄Ｄでグラフの横軸を「期間」としたものである。図７のグラフによれば、月ごとの作業内容（事後保全又は予防保全）の設備停止時間を比較することができる。
【００４９】
また、グラフの縦軸は、上述した項目に限定されるものではなく、例えば、保全作業１件当たりの修繕費や保全作業１件当たりの設備停止時間等であっても構わない。
【００５０】
また、上述した図４〜７に示すグラフでは、「作業区分」のみで全ての設備機器を選別しているが、上述したように、欄Ｂの「製造部」、「装置／ライン名」、「機種」及び「機器番号」の項目において任意の条件を付与することにより、協働する複数の設備機器が構成するグループ（例えば、製造設備Ａ、製造設備Ｂの第１ライン又は製造ラインＡの第１ラインの圧縮機等）のみを対象としたグラフを表示させることができる。
【００５１】
さらに、欄Ｂの「作業区分」から任意の項目を選択することにより、この項目に合致する設備機器を設備機器の階層（欄Ｂの「製造部」、「装置／ライン名」、「機種」及び「機器番号」）にかかわらず横断的に表示することができる。
【００５２】
このようにして、上述した保全履歴表示装置１は、任意の階層に含まれる設備機器の保全履歴情報をまとめて表示するか、任意の作業内容データの項目に合致するものを階層にかかわらず横断的に表示することにより、設備機器の保全履歴情報を分かり易くグラフ表示することができる。
【００５３】
なお、本発明は、本発明の精神を逸脱しない限り種々の改変をなすことができ、そして、本発明が該改変されたものにも及ぶことは当然である。
【符号の説明】
【００５４】
１  ・・・  保全履歴情報表示装置
２  ・・・  表示部
３  ・・・  保全履歴情報記憶部
４  ・・・  入力部
５  ・・・  表示制御部
６  ・・・  演算部
【図１】
2017156798.tif 000003
【図２】
2017156798.tif 000004
【図３】
2017156798.tif 000005
【図４】
2017156798.tif 000006
【図５】
2017156798.tif 000007
【図６】
2017156798.tif 000008
【図７】
2017156798.tif 000009